(57)【要約】
【課題】  鉢様容器内の水分を保ち、腐食のおそれもなく、さらに鉢様容器の下にその鉢受け容器をおいたときでも美観が劣らない鉢様容器を提供する。
【解決手段】  上部に開口部２を有する有底なステンレス鋼製鉢様容器本体１の底３に貫通孔８を上下方向に形成すると共に、貫通孔８に軟質の栓10を設ける。栓10はゴム又は軟質樹脂により形成され、貫通孔８を嵌合する軸11の上部に上板部12を形成し、下部に底３の下面に当接する下板部13を形成する。鉢様容器本体１の外周４表面の少なくとも下部にヘアーライン調模様７を形成する。鉢様容器本体１が載置されるステンレス鋼製鉢受け容器14を設ける。貫通孔８に軟質の栓10を設けたことにより、漏水などを確実に阻止できる。
【選択図】図１
0003100688.tif 000002
【実用新案登録請求の範囲】
【請求項１】
上部に開口部を有する有底な鉢様容器本体の前記底に貫通孔を上下方向に形成すると共に、該貫通孔に軟質の栓を設けたことを特徴とする鉢様容器。
【請求項２】
前記栓はゴム又は軟質樹脂により形成され、前記貫通孔を嵌合する軸の上部に前記底の上面に当接する上板部を前記軸の軸芯を中心として該軸より平面を大きく形成し、前記軸の下部に前記底の下面に当接する下板部を該軸より平面を大きく形成したことを特徴とする請求項１記載の鉢様容器。
【請求項３】
前記鉢様容器本体の表面を、光沢を有する耐腐食部により形成することを特徴とする請求項１又は２に記載の鉢様容器。
【請求項４】
前記鉢様容器本体をステンレス鋼により形成したことを特徴とする請求項１〜３のいずれか１項に記載の鉢様容器。
【請求項５】
前記鉢様容器本体が載置される受け鉢受け容器を設けると共に、該受け鉢受け容器をステンレス鋼により形成したことを特徴とする請求項１〜４のいずれか１項に記載の鉢様容器。
【請求項６】
前記鉢様容器本体の外周表面の少なくとも下部にヘアーライン調模様を形成したことを特徴とする請求項３又は４記載の鉢様容器。
【請求項７】
前記鉢様容器本体が、植木鉢、水生植物培養用容器或いは花器であることを特徴とする請求項１〜６のいずれか１項に記載の鉢様容器。
【考案の詳細な説明】
【技術分野】
【０００１】
本考案は、植木鉢、水生植物培養用容器或いは花器等の鉢様容器に関する。
【背景技術】
【０００２】
従来、植木鉢鉢は素焼き等陶器や金属 、ガラス等で形成されており、外観の美しさは、形や色彩等で表現していた。そして、植木鉢鉢の底には通常排水孔が形成されている。。また、合成樹脂製のものして、合成樹脂で形成した植木鉢鉢の表面に適宜模様をなす凹凸を形成すると共に、金属被膜層を形成し、該金属被膜層の上に被膜層を形成して、表面側から研磨し、金属被膜層は表面の凹凸模様に従って凸部分から現出し、所望の感覚を見るものに与えることができるものも公知である。
【特許文献１】登録実用新案第３０２７５２３号公報
【考案の開示】
【考案が解決しようとする課題】
【０００３】
従来の植木鉢鉢等鉢様容器においては、鉢様容器に植えた植物に水をやるとその水は土に適度にたまり根より吸水される一方、余った水は排水孔より排水されるようになっている。そして、鉢様容器内の水のたまり度合いは微妙なものであり、不足すれば植物が枯れるおそれがある。
【０００４】
また、鉢様容器を鉄などの金属により形成したとき、土に適度にたまった水分により腐食するおそれがある。さらに、鉢様容器より排水された水が排水孔より排出されて周囲を汚すおそれがあるので、鉢様容器を鉢受け容器に載置して使用しているが、鉢様容器と鉢受け容器との擦り合いにより鉢受け容器に傷が形成されて美観が劣るという問題がある。
【０００５】
解決しようとする問題点は、鉢様容器内の水分を保つようにした点である。また、鉢様容器に溜まった水分により腐食のおそれもなく、さらに鉢様容器の下にその鉢受け容器をおいたときでも美観が劣らない鉢様容器を提供することを目的とする。
【課題を解決するための手段】
【０００６】
請求項１の考案は、上部に開口部を有する有底な鉢様容器本体の前記底に貫通孔を上下方向に形成すると共に、該貫通孔に軟質の栓を設けたことを特徴とする鉢様容器である。
【０００７】
請求項２の考案においては、前記栓はゴム又は軟質樹脂により形成され、前記貫通孔を嵌合する軸の上部に前記底の上面に当接する上板部を前記軸の軸芯を中心として該軸より平面を大きく形成し、前記軸の下部に前記底の下面に当接する下板部を該軸より平面を大きく形成したことを特徴とする請求項１記載の鉢様容器。である。
【０００８】
請求項３の考案は、前記鉢様容器本体の表面を、光沢を有する耐腐食面により形成することを特徴とする請求項１又は２に記載の鉢様容器である。
【０００９】
請求項４の考案は、前記鉢様容器本体をステンレス鋼により形成したことを特徴とする請求項１〜３のいずれか１項に記載の鉢様容器である。
【００１０】
請求項５の考案は、前記鉢様容器本体が載置される受け鉢受け容器を設けると共に、該受け鉢受け容器をステンレス鋼により形成したことを特徴とする請求項１〜４のいずれか１項に記載の鉢様容器である。
【００１１】
請求項６の考案は、前記鉢様容器本体の外周表面の少なくとも下部にヘアーライン調模様を形成したことを特徴とする請求項３又は４記載の鉢様容器である。
【００１２】
請求項７の考案は、前記鉢様容器本体が、植木鉢、水生植物培養用容器或いは花器であることを特徴とする請求項１〜６のいずれか１項に記載の鉢様容器である。
【考案の効果】
【００１３】
請求項１の考案によれば、鉢様容器本体内にある水分は貫通孔に設けた軟質の栓により漏水するようなことはない。
【００１４】
請求項２の考案によれば、鉢様容器本体内にある水分は、前記底の上面と上板部との隙間、貫通孔と軸との隙間、さらに前記底の下面と下板部との隙間がそれぞれ密着されて漏水することはない。
【００１５】
請求項３の考案によれば、表面は耐腐食層となっているので、水分により腐食のおそれはなく、また表面は光沢を有するので、光を反射して美観を向上することができる。
【００１６】
請求項４の考案によれば、鉢様容器本体をステンレス鋼により形成したので、耐腐食性に優れる。
【００１７】
請求項５の考案によれば、鉢様容器本体及び受け鉢受け容器をステンレス鋼により形成したので、耐腐食性に優れ、さらにステンレス鋼は比較的硬いので鉢様容器と鉢受け容器との擦り合いがあっても傷がつきにくい。
【００１８】
請求項６の考案によれば、前記鉢様容器本体の外周表面の下部をヘアーライン調模様とすることにより、鉢様容器の底側の汚れを隠すことができるようになる。
【００１９】
請求項７の考案によれば、植木鉢、水生植物培養用容器或いは花器として多様に使用することができる。
【考案を実施するための最良の形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２１】
図１〜図２は実施例１を示しており、鉢様容器本体１は上部に円形な開口部２を有すると共に下部に円形な底３を有するように裁頭円錐形状のものを上下逆に配置したような形状をなしている。この鉢様容器本体１はステンレス鋼によって形成されており、全表面はステンレス鋼によって耐腐食部となっている。さらに、外周面４の上部を鏡面５に形成すると共に、内周面６及び外周面４の下部をヘアーライン調模様７に形成する。このヘアーライン調模様７は細かく細長い凹部７ａを同じ方向になるようにほぼ平行に配置して、細かな髪の毛が並んでいるようにあらわした模様であり、実施例では凹部７ａの長手方向を外周面４における周方向に配置している。
【００２２】
前記底３の中央に排水用の貫通孔８が上下方向に形成されており、この貫通孔８を中心として上方へやや突設した凸所９が底３に形成されている。そして、貫通孔８に軟質の弁状の栓10を設ける。この栓10は、ゴム又はエラストマ等軟質樹脂により形成されており、前記貫通孔８を嵌合する軸11の上部に前記底３の上面に当接する円板状の上板部12を前記軸11の軸芯ｚを中心として該軸11より平面を大きく形成している。さらに、前記軸11の下部に前記底３の下面に当接する円板状の下板部13を前記軸11の軸芯ｚを中心として該軸11より平面を大きく形成したものである。そして、下板部11は凸所９の下部に収容されるような厚みｔに形成されている。
【００２３】
前記鉢様容器本体１を載置する鉢様容器用の鉢受け容器14は、底15の周囲にやや突設した立ち上がり板部16を設けたものであり、ステンレス鋼によって形成されていると共に、その全表面は光沢を有するようになっている。
【００２４】
次に前記構成についてその作用を説明する。鉢様容器に図示しない土を収容すると共に、草花等の植物を植える。そして、鉢様容器を鉢受け容器14に載せて植物を鑑賞するものである。
【００２５】
植物に水をやると、水は土を介して根より植木に吸収される。そして栓10が軟質であるので、前記底３の上面と軟質な上板部12との隙間ｓ1、貫通孔８と軟質な軸11との隙間ｓ2、さらに前記底３の下面と軟質な下板部13との隙間ｓ3は、それぞれ密着する。したがって、栓10を貫通孔８に取り付けた場合には漏水のおそれはなく、鉢様容器本体１内にある土の水分を適度に保つことができる。
【００２６】
さらに、貫通孔８より排水された水分は鉢受け容器14にたまり、この水分は光沢のある外周面４に反射して視認されるような状態となるが、鉢様容器本体１の外周表面の下部をヘアーライン調模様７としたことで、鉢受け容器14に溜まった水分がぼやけて視認されることにより、美観を確保することができる。
【００２７】
また、水生植物の場合には、栓10を取り付けた鉢様容器本体１に水を収容し、そして水生植物を収容して培養したり、水生植物を収容して楽しむものであり、さらに、鉢様容器本体１を花器として生け花を生ける場合も同様に栓10を取り付けた鉢様容器本体１に水を収容し、そして生け花を往けて楽しむものである。
【００２８】
以上のように、前記実施例では請求項１に対応して上部に開口部２を有する有底な鉢様容器本体１の前記底３に貫通孔８を上下方向に形成すると共に、該貫通孔８に軟質の栓10を設けたことにより、鉢様容器本体１に収容した土中の水分や培養したりする水生植物或いは生け花用の水は栓10を設けた貫通孔８より漏水せずに適度な水分を保つことができる。
【００２９】
また、前記実施例では請求項２に対応して前記栓10はゴム又は軟質樹脂により形成され、前記貫通孔８を嵌合する軸11の上部に前記底３の上面に当接する上板部12を該軸11より平面を大きく形成し、前記軸11の下部に前記底３の下面に当接する下板部13を該軸11より平面を大きく形成したことにより、隙間ｓ1，ｓ2，ｓ3はそれぞれ密着して漏水はなく、鉢様容器本体１内にある土の水分を適度に保つことができたり、培養したりする水生植物或いは生け花用の水量を保つことができる。
【００３０】
さらに、前記実施例では請求項３に対応して前記鉢様容器本体１をステンレス鋼により形成して、その表面を光沢を有する耐腐食面に形成することにより、水分により腐食のおそれはなく、また外周面４及び内周面６における表面は光沢を有するので、光を反射して美観を向上することができる。
【００３１】
また、前記実施例では請求項４に対応して前記鉢様容器本体１をステンレス鋼により形成したことにより、鉢様容器本体１の腐食のおそれはなくなる。
【００３２】
また、前記実施例では請求項５に対応して前記鉢様容器本体１をステンレス鋼により形成し、前記鉢様容器本体１が載置される鉢受け容器14を設けると共に、該受け鉢受け容器14をステンレス鋼により形成したことにより、鉢様容器本体１、鉢受け容器14の腐食のおそれはなく、さらに鉢様容器本体１と鉢受け容器14とが擦り合っても傷付きにくいものとなる。
【００３３】
さらに、前記実施例では請求項６に対応して鉢様容器本体１の外周４表面の少なくとも下部にヘアーライン調模様７を形成したことにより、鉢様容器本体１を載置した鉢受け容器14やテーブルが直接的に反射しなくなり、ぼやけるように見えることになるので、汚れなどを隠すようなことができる。
【００３４】
しかも、前記実施例では請求項７に対応して鉢様容器本体１が、草木などを土に植えるための植木鉢、水生植物培養用容器或いは花をいけるための花器であることにより、多様な使用方法を発揮できる。
【実施例２】
【００３５】
図３は実施例２を示しており、前記実施例１と同一部分には同一符号を付し、その詳細な説明を省略する。実施例２における鉢様容器本体１ａ及び鉢受け容器14ａの平面を矩形に形成したものである。
【実施例３】
【００３６】
図４は実施例３を示しており、前記実施例１と同一部分には同一符号を付し、その詳細な説明を省略する。実施例３における鉢様容器本体１ｂ及び鉢受け容器14ｂの平面を楕円形に形成したものである。
【産業上の利用可能性】
【００３７】
以上のように本考案にかかる鉢様容器は、室内用や屋外用など多種類の用途に適用できる。
【図面の簡単な説明】
【００３８】
【図１】本考案の実施例１を示す断面図である。
【図２】本考案の実施例１を示す分解斜視図である。
【図３】本考案の実施例２を示す斜視図である。
【図４】本考案の実施例３を示す斜視図である。
【符号の説明】
【００３９】
１  鉢様容器本体
２  開口部
３  底
７  ヘアーライン調模様
８  貫通孔
10  栓
11  軸
12  上板部
13  下板部
14  鉢受け容器
ｚ  軸芯
【図１】
0003100688.tif 000003
【図２】
0003100688.tif 000004
【図３】
0003100688.tif 000005
【図４】
0003100688.tif 000006